(57)【要約】      （修正有）【課題】食品粉類を収納する食品収納袋や、寝台、ソファへのダニ侵入防止方法を提供する。【解決手段】綿布や不織布５、合成樹脂シート、防水シートのテープ２の一側部や両側部または全面部に所要の粘着剤３を塗布したり浸漬し、さらにテープ２の一側部等に誘引ダニ剤４を散布したり含浸して、食品粉類を収納する食品収納袋や食品収納庫の食品収納具の外周部、寝台、ソファを含む家具の下部の周部に巻付け貼着するダニ侵入防止方法。【選択図】図２
2016202129.tif 000002
【特許請求の範囲】
【請求項１】
綿布や不織布、合成樹脂シート、防水シートのテープに粘着剤を付着して食品粉類を収納する食品収納袋や食品収納庫の食品収納具の外周部や、寝台、ソファを含む家具の下部の周部に巻付けて貼着可能に形成し、上記テープにダニ誘引剤を付着してダニを誘引して捕捉することを特徴とする食品収納袋等のダニ侵入防止方法。
【請求項２】
綿布や不織布、合成樹脂シート、防水シートのテープに粘着剤を付着して食品粉類を収納する食品収納袋や食品収納庫の食品収納具の外周部や、寝台、ソファを含む家具の下部の周部に巻付けて貼着可能に形成し、上記テープにダニ誘引剤を付着してダニを誘引して捕捉するように形成したことを特徴とする食品収納袋等の防ダニテープ。
【請求項３】
ダニ誘引剤を不織布に付着し、ダニ誘引剤を塗着した不織布を凸凹状面としてテープに貼着したことを特徴とする請求項２に記載の食品収納袋等の防ダニテープ。
【請求項４】
食品粉類を収納する食品収納袋に折り返し片を設け、この折り返し片の内側の食品収納袋側に防ダニテープを貼着したことを特徴とする食品収納袋の食品収納具。
【請求項５】
防ダニテープを貼着して食品粉類を収納する食品収納袋を耐熱性シートで形成し、その食品収納袋に熱風吹き込み口を設けて高温の熱風を吹き込むように形成したことを特徴とする食品収納袋の食品収納具。
【発明の詳細な説明】
【技術分野】
【０００１】
本発明は、衛生分野における食品収納袋等のダニ侵入防止方法、防ダニテープおよび食品収納具に関するものである。
【背景技術】
【０００２】
近年、欧米や日本で、食品粉による経口ダニアナフラキシー事件が年々増加している。出願人は、特開２００３−２３５４２６号公報のように誘引ダニ確認用具やダニ捕獲具を開発し、市販してダニアレルギーの低減に寄与してきている。
【０００３】
ダニは、１日５〜６回脱糞する。このダニの糞自体が強力なアレルゲンであり、それを多くの人が知らずに食し、一部のアレルギー体質の人が、経口アナフラキシーショックで死亡する事件も発生している。
【０００４】
そこで、出願人は、これまでの食品粉類にどの程度ダニが繁殖しているのか、数種類を洗い出し法で検査してみると、開封１ヶ月以上の小麦粉、片栗粉、米粉、そば粉等いずれも５００匹以上のダニが検出された。特に、お好み焼き用やたこ焼き用の食品粉には、２０００〜１００００匹という驚くべきダニ数であった。
【０００５】
これらは、魚介類の粉等の旨味成分を配合してあるため、ダニの餌としては最適な要素であり、潜り込めて繁殖する場所として大変恵まれ、３ヶ月で５００倍に増加したデータさえある。今後は益々安全な社会を脅かす大きな問題になると考えられる。
【先行技術文献】
【特許文献】
【０００６】
【特許文献１】特開２００３−２３５４２６号公報
【発明の概要】
【発明が解決しようとする課題】
【０００７】
そのため、食品粉類に対して、その食品収納袋等にダニが侵入するのを防止し、ダニアレルギー源を消滅して、安全に食品類を保存でき、安全に食するようすることが課題である。
【課題を解決するための手段】
【０００８】
本発明は、上記のような点に鑑みたもので、上記の課題を解決するために、綿布や不織布、合成樹脂シート、防水シートのテープに粘着剤を付着して食品粉類を収納する食品収納袋や食品収納庫の食品収納具の外周部や、寝台、ソファを含む家具の下部の周部に巻付けて貼着可能に形成し、上記テープにダニ誘引剤を塗着してダニを誘引して捕捉することを特徴とする食品収納袋等のダニ侵入防止方法を提供するものである。
【０００９】
また、綿布や不織布、合成樹脂シート、防水シートのテープに粘着剤を付着して食品粉類を収納する食品収納袋や食品収納庫の食品収納具の外周部や、寝台、ソファを含む家具の下部の周部に巻付けて貼着可能に形成し、上記テープにダニ誘引剤を塗着してダニを誘引して捕捉するように形成したことを特徴とする食品収納袋等の防ダニテープを提供するものである。
【００１０】
さらに、ダニ誘引剤を不織布に塗着し、ダニ誘引剤を塗着した不織布を凸凹状面としてテープに貼着したことを特徴とする食品収納袋等の防ダニテープを提供するものである。
【００１１】
さらにまた、食品粉類を収納する食品収納袋に折り返し片を設け、この折り返し片の内側の食品収納袋側に防ダニテープを貼着したことを特徴とする食品収納袋の食品収納具を提供するものである。
【００１２】
またさらに、防ダニテープを貼着して食品粉類を収納する食品収納袋を耐熱性シートで形成し、その食品収納袋に熱風吹き込み口を設けて高温の熱風を吹き込むように形成したことを特徴とする食品収納袋の食品収納具を提供するものである。
【発明の効果】
【００１３】
本発明の食品収納袋等のダニ侵入防止方法は、特許請求の範囲の請求項１のように、綿布や不織布、合成樹脂シート、防水シートのテープに粘着剤を付着して食品粉類を収納する食品収納袋や食品収納庫の食品収納具の外周部や、寝台、ソファを含む家具の下部の周部に巻付けて貼着可能に形成し、上記テープにダニ誘引剤を塗着してダニを誘引して捕捉することによって、食品粉類を収納する食品収納袋や食品収納庫の食品収納具の外周部や、寝台、ソファを含む家具の下部の周部に巻付けて貼着し、食品収納具にダニが侵入しょうとしても、上記テープのダニ誘引剤でダニが誘引されて捕捉され、ダニが食品収納具の内部に侵入したり、家具の上部に這い上がるのを防止でき、ダニによる経口ダニアナフラキシーを防止でき、ダニによる汚染から食の安全やダニ感染を護ることができる。
上記テープに塗着したダニ誘引剤の周部に粘着剤を被覆すると、ダニ誘引剤で誘引されたダニを粘着して捕殺することができ、またダニ誘引剤を殺ダニ剤として捕捉したダニを死滅するようにもできる。
【００１４】
また、請求項２のように、綿布や不織布、合成樹脂シート、防水シートのテープに粘着剤を付着して食品粉類を収納する食品収納袋や食品収納庫の食品収納具の外周部や、寝台、ソファを含む家具の下部の周部に巻付けて貼着可能に形成し、上記テープにダニ誘引剤を塗着してダニを誘引して捕捉するように形成したことによって、上記のように防ダニテープを食品粉類を収納する食品収納袋や食品収納庫の食品収納具の外周部や、寝台、ソファを含む家具の下部の周部に巻付けて貼着し、ダニが食品収納具に侵入しょうとしても、上記テープのダニ誘引剤でダニが誘引されて捕捉され、ダニが食品収納具の内部に侵入したり、家具の上部に這い上がるのを防止でき、ダニによる経口ダニアナフラキシーを防止でき、ダニによる汚染から食の安全や、ダニ感染を護ることができる。
また、上記したように、テープに塗着したダニ誘引剤の周部に粘着剤を被覆すると、ダニ誘引剤で誘引されたダニを粘着して捕殺することができ、またダニ誘引剤を殺ダニ剤として捕獲したダニを死滅するようにもできる。
【００１５】
さらに、請求項３のように、ダニ誘引剤を不織布に塗着し、ダニ誘引剤を塗着した不織布を凸凹状面としてテープに貼着したことによって、食品粉類を収納する食品収納袋や食品収納庫の食品収納具の外周部や、寝台、ソファを含む家具の下部の周部に巻付けて貼着し、不織布の凸凹状面としてダニが光を嫌って暗い場所を好む凸凹部に潜り込むように誘引して捕捉でき、ダニが食品収納具の内部に侵入したり、家具の上部に這い上がるのを防止でき、ダニによる経口ダニアナフラキシーを防止でき、ダニによる汚染から食の安全や、ダニ感染を護ることができる。
【００１６】
さらにまた、請求項４のように、食品粉類を収納する食品収納袋に折り返し片を設け、この折り返し片の内側の食品収納袋側に防ダニテープを貼着したことによって、食品の流通過程においても、ダニを食品収納袋の折り返し片に誘引して捕捉でき、ダニが食品収納具の内部に侵入するのを防止でき、ダニによる経口ダニアナフラキシーを防止でき、ダニによる汚染から食の安全性を護れて、安全に食するようにできる。
【００１７】
またさらに、請求項５のように、防ダニテープを貼着して食品粉類を収納する食品収納袋を耐熱性シートで形成し、その食品収納袋に熱風吹き込み口を設けて高温の熱風を吹き込むように形成したことによって、食品製造過程においても、食品収納袋に熱風吹き込めて、ダニの生存、繁殖を壊滅でき、ダニによる汚染から食の安全性を護れて、安全に食するようにできる。
【図面の簡単な説明】
【００１８】
【図１】本発明の一実施例の防ダニテープの展開した状態の一部省略した裏面側の斜視図、
【図２】同上の拡大断面図、
【図３】同上の食品収納袋に貼着状態の正面図（ａ）と側面図（ｂ）、
【図４】同上の他の実施例の防ダニテープの拡大断面図、
【図５】同上のさらに他の実施例の一部省略した防ダニテープの拡大側面図、
【図６】同上のさらに他の実施例の一部省略した防ダニテープの拡大底面図、
【図７】同上のさらに他の実施例の一部省略した防ダニテープの拡大側面図、
【図８】同上のそれぞれさらに他の実施例の防ダニテープの拡大側断面図（ａ）、（ｂ）、
【図９】同上のさらに他の実施例の食品収納容器の斜視図、
【図１０】同上のさらに他の実施例の食品収納袋の正面図（ａ）と側面図（ｂ）、
【図１１】同上のさらに他の実施例の食品収納袋の正面図。
【発明を実施するための形態】
【００１９】
本発明の食品収納袋等のダニ侵入防止方法、合成樹脂シート、防ダニテープおよび食品収納具は、綿布や不織布、防水シートのテープに粘着剤を付着して食品粉類を収納する食品収納袋や食品収納庫の食品収納具の外周部や、寝台、ソファを含む家具の下部の周部に巻付けて貼着可能に形成し、上記テープにダニ誘引剤を付着してダニを誘引して捕捉するようにしたことを特徴としている。
【００２０】
食品収納袋等のダニ侵入防止の防ダニテープ１は、図１、図２のように綿布等の天然繊維布、合成樹脂シート、不織布、紙、フィルム、防水シート等の０．５〜２ｍｍ厚さ、２０〜５０ｍｍ幅のテープ２に、その一側部や両側部、または全面部に所要の粘着剤３を所要厚さ、所要粘度で塗布したり、浸漬した粘着テープで、テープ２の一側部等に誘引ダニ剤４を散布したり、含浸して付着した紙、綿布や不織布５を貼着している。
【００２１】
粘着剤３としては、シリカ系等の無機系粘着剤や、天然ゴム系、天然ゴムラテックス系等の有機系粘着剤、エチレン酢酸ビニル樹脂系やエポキシ樹脂系、シリコン系、リトリルゴム系、ポリウレタン樹脂系等が利用可能であり、ホットメルト型粘着剤やエマルジョン型粘着剤で、その表面にはシリコーン樹脂等を塗布した離型紙を剥離可能に貼り付けることができる。粘着剤３は、合成系粘着剤等の耐久性のよい、長期粘着性が維持できるものが好ましい。
【００２２】
ダニ誘引剤４としては、食餌性誘引物質、臭香性誘引物質、殺ダニ物質を微粉末状として混合したものを使用でき、食餌性誘引物質としてはビール酵母、食品フレーバ、チョコレートやカカオの粉末、チーズ、バター、魚介類粉末、穀物粉末など、臭香性誘引物質としては動物性油脂や植物性油脂、これらの脂肪酸エステルなど、殺ダニ物質としてはシリカゲル、塩化カルシゥム、セラミックス等の多孔質物質などを、これらの微粉末を単独、または組み合わせて使用できる。安全な無機物で構成するのが、人に害を及ばせなくせて好ましい。
【００２３】
上記ダニ誘引剤４は、上記不織布５等に散布したりして含浸し、テープ２に上記接着剤３を介したり、所要の粘着剤６を混合して貼着でき、図３のように食品粉類を収納する食品収納袋や食品収納庫の食品収納具７の外周部や、寝台、ソファを含む家具の脚部等の下方部の周部に巻付けて貼着し、ダニを誘引して捕捉するようにできる。
【００２４】
また、上記不織布５等の表面には、粘着剤６を図２のように被覆することができ、図３（ａ）、（ｂ）のように食品収納容具７の外周面の全周にわたって巻き付けるように貼着し、食品収納容器７に近寄ってきたダニを防ダニテープ１に誘引して粘着剤６に粘着して捕捉するようにしている。上記テープ２に塗着したダニ誘引剤４の周部に粘着剤６を被覆すると、ダニ誘引剤４で誘引されたダニを粘着して捕殺することができ、またダニ誘引剤４を殺ダニ剤として捕捉したダニを死滅するようにもできる。粘着剤６は、その塗布量が１０〜５０ｇ／ｍ2 、粘着力が１００〜４００ｇｆ、ダニは力が弱いので１００〜２００ｇｆ位とすることができる。
【００２５】
防ダニテープ１には、図４のようにテープ２に不織布５部の側部を斜め状にして食品収納容器７に貼着しやすくしたり、両側に粘着剤３を塗布したりすることができる。
【００２６】
また、防ダニテープ１の不織布５部は、図５、図６のようにテープ２の貼り付け面部側や貼り付け面部と反対側部や、これらのは両方側部に凸凹状やスリット状等の溝状にエンボス加工等で凸凹部８を設けた凸凹面とし、乾燥状態や明るい光を嫌うダニの性質を利用してダニが凸凹部８に潜り込むようにしてダニを有効に捕捉するようにできる。
【００２７】
特に、不織布５や紙シートにダニ誘引剤４を塗布したり、含浸して、図７のように波形状としてテープ２に貼り付けて接合し、ダニが波形状とした暗い間隙９に浸入しやすくして捕捉したり、捕殺するようにできる。
【００２８】
また、防ダニテープ１は、図８（ａ）、（ｂ）のように、テープ２の貼り付け面部と反対側部に所要間隔、所幅で凸状や凹状のダニ粘着部１０、１１を設け、ダニがテープ２の貼り付け面部と反対側部から逃げ出さないようにして捕捉できるようにしている。この場合、粘着剤として、スチレン−イソプレン型粘着剤等を使用して十分な粘着力とすることが好ましい。
【００２９】
防ダニテープ１を貼着する対象としては、上記したようにダニが好む小麦粉、そば粉等の穀物粉や魚介粉、粉ミルク等を収納する食品収納袋や、図９のような食品収納箱、また人が利用してダニが集まってくる寝台、ソファなどの家具の脚部や下方部の支持柱に床面からダニが這い上がって侵入してくるのを防止するようにできる。
【００３０】
また、図１０のように食品収納具７にその全周にわたって折り返し片１２、またはテープ片を設け、この折り返し片１２等の内側の食品収納具７側に防ダニテープ１を貼着して対応することもできる。
【００３１】
またさらに、図１１のように防ダニテープ１を貼着して食品粉類を収納する食品収納具７を耐熱性シートで形成し、その食品収納具７に熱風吹き込み口１３を設けて７０〜８０℃の高温の熱風を吹き込むようにできる。また、食品収納具７以外に、枕、布団、疎とんカバー、縫いぐるみなどの寝具類や衣服類に適用し、熱風吹き込み口１３から７０〜８０℃の熱風を吹き込んで、内側に入り込んだダニを死滅させてアレルギー源を消滅するようにできる。
【００３２】
上記では、食品収納袋や容器、寝台、ソファ等の寝具や衣服について説明したが、冷蔵庫や化粧品、薬箱など、ダニアレルギー源となっているもの、なりやすいものについても、本発明の趣旨にもとづいて適宜に適用することができる。
【実施例】
【００３３】
図１以下は、本発明の実施例を示すものである。ダニ侵入防止の防ダニテープ１は、図１、図２のように１ｍｍ厚さ、２０ｍｍ幅の防水シートのテープ２にその一側部側にわたってホットメルト型粘着剤３を塗布した粘着テープとし、このテープ２のほぼ中央部の６０〜７０％位の範囲に誘引ダニ剤４を含浸した不織布５を貼着している。その表面には、粘着力が２００ｇｆ、塗布量が１０ｇ／ｍ2 の粘着剤６を被覆している。
【００３４】
ダニ誘引剤４としては、食餌性誘引物質としてビール酵母、食品フレーバ、穀物粉末や貝殻粉末などと、臭香性誘引物質として動物性油脂や植物性油脂などを微粉末状として配合して混合し、不織布５に散布して含浸して上記接着剤３を介してテープ２に貼着し、図３のように食品粉類を収納する食品収納袋の食品収納具７の外周面部に巻付けて貼着して、ダニを誘引して捕捉するようにしている。
【００３５】
そのため、食品収納袋の食品収納具７を開封して保存しておいて、ダニが寄ってきて侵入しょうとしても、上記テープ２のダニ誘引剤４にダニが誘引されて捕捉され、ダニが食品収納具７の内部に侵入するのを防止でき、ダニによる経口ダニアナフラキシーを防止でき、ダニによる汚染から食の安全やダニ感染を護ることができる。なお、ダニ誘引剤４に殺ダニ物質としてのシリカゲル、塩化カルシゥム、セラミックス等の多孔質物質などを混合し、誘引殺ダニ剤として捕捉したダニを死滅するようにもできる。
【００３６】
図４は、本発明の他の実施例で、防ダニテープ１には、テープ２の両側に粘着剤３を塗布し、不織布５部の側部を斜め状にして食品収納容器７に貼着しやすくしている。本実施例では、食品収納容器７等に貼着しやすく、上記のようにダニが食品収納具７の内部に侵入するのを防止できる。
【００３７】
図５、図６は、それぞれ本発明のさらに他の実施例で、防ダニテープ１の不織布５部には、テープ２の反貼り付け面や貼り付け面に凸凹状の溝状にエンボス加工したものである。本実施例では、防ダニテープ１に凸凹部８を設けた不織布５部によって、乾燥状態や明るい光を嫌うダニが凸凹部８に潜り込む性質を利用してダニを有効に捕捉することができる。
【００３８】
図７は、本発明のさらに他の実施例で、ダニ誘引剤４を塗布して含浸した紙シートに波形状としてテープ２に貼り付けて接合した防ダニテープ１とし、ダニが波形状とした暗い間隙９に浸入しやすくして捕捉したり、捕殺するようにしている。
【００３９】
図８（ａ）、（ｂ）は、ぞれぞれ本発明のさらに他の実施例で、防ダニテープ１は、図のように、テープ２の貼り付け面部と反対側部に所要間隔、所幅で凸状や凹状のダニ粘着部１０、１１を設け、この粘着剤６として、スチレン−イソプレン型粘着剤を使用して十分な粘着力としている。本実施例では、ダニがテープ２の貼り付け面部と反対側部から逃げ出さないようにして確実に捕捉することができる。
【００４０】
図１０は、本発明のさらに他の実施例で、食品収納具７にその全周にわたって折り返し片１２を設け、この折り返し片１２の内側の食品収納具７側に防ダニテープ１を貼着したものである。本実施例では、食品の流通過程においても、ダニを食品収納袋７の折り返し片１２に誘引して捕捉でき、ダニが食品収納具７の内部に侵入するのを防止でき、ダニによる経口ダニアナフラキシーを防止でき、ダニによる汚染から食の安全性を護れて、安全に食するようにできる。
【００４１】
図１１は、本発明のさらに他の実施例で、防ダニテープ１を貼着して食品粉類を収納する食品収納具７を耐熱性シートで形成し、その食品収納具７に熱風吹き込み口１３を設けたものである。本実施例では、熱風吹き込み口１０から７０〜８０℃の高温の熱風を吹き込んで、内側に入り込んだダニを死滅してアレルギー源を消滅するようにできる。
【００４２】
防ダニテープ１を貼着する対象としては、上記したようにダニが好む小麦粉、そば粉等の穀物粉や魚介粉、粉ミルク等を収納する食品収納袋の食品収納具７や図１０のような食品収納箱１０、また人が利用してダニが集まって来る寝台、ソファなどの家具等、人にダニアレルギーを発生させる物体に適用することができる。
【産業上の利用可能性】
【００４３】
本発明は、食品衛生分野における小麦粉、片栗粉等の食品粉類を収納する食品収納器に食品収納容器、寝台、ソファ等の寝具や衣服について説明したが、冷蔵庫や化粧品、薬箱など、ダニアレルギー源となっているもの、広く利用できる。
【符号の説明】
【００４４】
１…防ダニテープ    ２…テープ            ３…粘着剤        ４…誘引ダニ剤
５…不織布          ７…食品収納容器      ８…凸凹部      １２…折り返し片
【図１】
2016202129.tif 000003
【図２】
2016202129.tif 000004
【図３】
2016202129.tif 000005
【図４】
2016202129.tif 000006
【図５】
2016202129.tif 000007
【図６】
2016202129.tif 000008
【図７】
2016202129.tif 000009
【図８】
2016202129.tif 000010
【図９】
2016202129.tif 000011
【図１０】
2016202129.tif 000012
【図１１】
2016202129.tif 000013